(57)【要約】【課題】シートクッションの骨格を支える支持構造を簡素かつ構造強度の高い構成とする。【解決手段】シートクッション３のサイドフレーム１１Ｂ，１１Ｃの前部（前部骨格）を支える前部ブラケット２０Ａ，２０Ｂと、サイドフレーム１１Ｂ，１１Ｃの後部（後部骨格）を支える後部ブラケット３０Ａ，３０Ｂと、を有する乗物用シート１である。前部ブラケット２０Ａ，２０Ｂは、サイドフレーム１１Ｂ，１１Ｃの前部に下方側からあてがえられて同サイドフレーム１１Ｂ，１１Ｃの前部を下方側から支持する構成となっている。また、後部ブラケット３０Ａ，３０Ｂは、サイドフレーム１１Ｂ，１１Ｃの後部に側方側からあてがえられて同サイドフレーム１１Ｂ，１１Ｃの後部を側方側から支持する構成となっている。【選択図】図２
2014189220.tif 000002
【特許請求の範囲】
【請求項１】
シートクッションの前部骨格を支える前部ブラケットと、前記前部骨格と一体で構成された前記シートクッションの後部骨格を支える後部ブラケットと、を有する乗物用シートであって、
前記前部ブラケットが前記シートクッションの前部骨格に下方側からあてがえられて同前部骨格を下方側から支持し、前記後部ブラケットが前記シートクッションの後部骨格に側方側からあてがえられて同後部骨格を側方側から支持する構成となっていることを特徴とする乗物用シート。
【請求項２】
請求項１に記載の乗物用シートであって、
前記シートクッションの前部骨格と後部骨格とがそれぞれパイプ材によって形成されており、前記前部ブラケットと前記後部ブラケットとの前記パイプ材があてがえられる各面部に前記パイプ材を受け入れて嵌合させることのできる形状の凹部が形成されていることを特徴とする乗物用シート。
【請求項３】
請求項１又は請求項２に記載の乗物用シートであって、
前記後部ブラケットが前記シートクッションの後部骨格をシート外側から支持する構成となっていることを特徴とする乗物用シート。
【請求項４】
請求項１から請求項３のいずれかに記載の乗物用シートであって、
前記後部ブラケットが高さ方向に面を延ばす板材により形成されて、シートバックを支えるブラケットとして構成されていることを特徴とする乗物用シート。
【請求項５】
請求項１から請求項４のいずれかに記載の乗物用シートであって、
前記シートクッションの骨格が前記シートクッションの左右両側部と前側部とに沿った骨格を成す平面視Ｕ字状に曲げられたパイプ材によって形成されており、前記後部ブラケットが前記Ｕ字状に曲げられたパイプ材の両端となる左右両側の後端をそれぞれ支える一対の構成とされており、当該一対の後部ブラケット間に補強用のフレームが一体的に架橋されており、前記補強用のフレームと前記パイプ材の前記シートクッションの前側部に沿った骨格を成すフロントフレームとの間に乗員の着座荷重をその直下で支える支持部材が架橋された構成となっていることを特徴とする乗物用シート。
【発明の詳細な説明】
【技術分野】
【０００１】
本発明は、乗物用シートに関する。詳しくは、シートクッションの前部骨格を支える前部ブラケットと、前部骨格と一体で構成されたシートクッションの後部骨格を支える後部ブラケットと、を有する乗物用シートに関する。
【背景技術】
【０００２】
従来、車両用シートにおいて、シートクッションの骨格がブラケットを介してフロア上に固定されて支持されたものが知られている（特許文献１）。具体的には、上記ブラケットは、フロア上に左右一対で設けられたスライドレール上に結合されて高さ方向に面を延ばすように設けられた板材により形成されている。シートクッションは、その骨格の前部領域と後部領域とが、それぞれ、上記板材により形成されたブラケットの側面に結合されることで、ブラケットにより支えられた構成となっている。
【先行技術文献】
【特許文献】
【０００３】
【特許文献１】特開２０１２−３０６３２号公報
【発明の概要】
【発明が解決しようとする課題】
【０００４】
しかし、上記従来技術では、シートクッションの骨格がブラケットによって側方からしか支えられていないため、支持強度が弱いという問題がある。本発明は、上記問題を解決するものとして創案されたものであって、本発明が解決しようとする課題は、シートクッションの骨格を支える支持構造を簡素かつ構造強度の高い構成とすることにある。
【課題を解決するための手段】
【０００５】
上記課題を解決するために、本発明の乗物用シートは次の手段をとる。
第１の発明は、シートクッションの前部骨格を支える前部ブラケットと、前部骨格と一体で構成されたシートクッションの後部骨格を支える後部ブラケットと、を有する乗物用シートである。前部ブラケットは、シートクッションの前部骨格に下方側からあてがえられて同前部骨格を下方側から支持する構成となっている。また、後部ブラケットは、シートクッションの後部骨格に側方側からあてがえられて同後部骨格を側方側から支持する構成となっている。
【０００６】
この第１の発明によれば、シートクッションの前部骨格は、前部ブラケットによって下方側から支えられることで、高い支持強度で支えられる構成とされる。また、上記前部骨格と一体で構成されたシートクッションの後部骨格は、後部ブラケットの側面にあてがわれて結合される構成とされることで、後部ブラケットがシートバックを支えるためやシートベルトバックルを取り付けるためなどの目的で高さ方向に延出して設けられるものである場合にも、このような後部ブラケットに対して具合良く取り付けることが可能となる。このように、シートクッションの骨格を支える支持構造を簡素かつ構造強度の高い構成とすることができる。
【０００７】
第２の発明は、上述した第１の発明において、次の構成とされているものである。シートクッションの前部骨格と後部骨格とがそれぞれパイプ材によって形成されている。前部ブラケットと後部ブラケットとのパイプ材があてがえられる各面部に、パイプ材を受け入れて嵌合させることのできる形状の凹部が形成されている。
【０００８】
この第２の発明によれば、前部ブラケットと後部ブラケットとにそれぞれ凹部を形成する簡単な構成により、これらブラケットによるシートクッションの前部骨格と後部骨格の各支持を強くすることができる。
【０００９】
第３の発明は、上述した第１又は第２の発明において、次の構成とされているものである。後部ブラケットが、シートクッションの後部骨格をシート外側から支持する構成となっている。
【００１０】
この第３の発明によれば、後部ブラケットによってシートクッションの後部骨格の外側への開きを適切に抑えることができ、後部骨格の支持強度を更に高めることができる。
【００１１】
第４の発明は、上述した第１から第３のいずれかの発明において、次の構成とされているものである。後部ブラケットが高さ方向に面を延ばす板材により形成されて、シートバックを支えるブラケットとして構成されている。
【００１２】
この第４の発明によれば、シートバックを支えるために高さ方向に延びて設けられるブラケットに対して、シートクッションの後部骨格を具合良く結合して構成の合理化を図ることができる。
【００１３】
第５の発明は、上述した第１から第４のいずれかの発明において、次の構成とされているものである。シートクッションの骨格が、シートクッションの左右両側部と前側部とに沿った骨格を成す平面視Ｕ字状に曲げられたパイプ材によって形成されている。後部ブラケットが、上記Ｕ字状に曲げられたパイプ材の両端となる左右両側の後端をそれぞれ支える一対の構成とされている。一対の後部ブラケット間に補強用のフレームが一体的に架橋されている。補強用のフレームとパイプ材のシートクッションの前側部に沿った骨格を成すフロントフレームとの間に、乗員の着座荷重をその直下で支える支持部材が架橋された構成となっている。
【００１４】
この第５の発明によれば、乗員の着座荷重を支持強度の高い前後のフレーム間で支えられる構成となるため、シートクッションの骨格を支える支持構造を、簡素かつ構造強度の高い構成として具現化することができる。
【図面の簡単な説明】
【００１５】
【図１】実施例１の乗物用シートの概略構成を表した斜視図である。
【図２】シートクッションの骨格構造の拡大斜視図である。
【図３】シートクッションの骨格構造の平面図である。
【図４】図３のIV矢視図である。
【図５】図３のV矢視図である。
【図６】図３のVI矢視図である。
【図７】図３のVII-VII線断面図である。
【発明を実施するための形態】
【００１６】
以下に、本発明を実施するための形態について、図面を用いて説明する。
【実施例１】
【００１７】
始めに、実施例１のシート１（乗物用シート）の構成について、図１〜図７を用いて説明する。本実施例のシート１は、図１に示すように、自動車の運転席として構成されており、着座乗員の背凭れとなるシートバック２と、着座部となるシートクッション３と、を備えた構成とされている。上記シートバック２は、その左右両側の下端部が、それぞれ、シートクッション３の左右両側の後端部に連結されて支持されており、シートクッション３は、その底面部が、左右一対のスライドレール４を介してフロアＦ上に連結されて支持されている。
【００１８】
詳しくは、上述したシートバック２は、その車両外側（図示向かって左側）の下端側側部が、回転止め可能な回転軸装置として機能するリクライナ５を介してシートクッション３の同側の後端側側部に連結された状態とされている。また、シートバック２は、その車両内側（図示向かって右側）の下端側側部が、回転止め機能を有しない単純なヒンジピン６によりシートクッション３の同側の後端側側部に回転可能に枢着された状態とされている。このように、シートバック２は、その車両外側の側部のみが背凭れ角度の固定機能を有したリクライナ５によりシートクッション３に連結された簡素な構成とされている。なお、上述したリクライナ５の構成については、特開２０１０−２２１９３５号公報等の文献に開示された公知のものと同じ構成となっているため、具体的な説明を省略することとする。
【００１９】
図２に示すように、シートクッション３は、その前部の左右２箇所と後部の左右２箇所とが、それぞれ、左右一対の前部ブラケット２０Ａ，２０Ｂと後部ブラケット３０Ａ，３０Ｂとを介して、各スライドレール４のアッパレール４Ｂ上に連結された状態とされている。ここで、各スライドレール４は、フロアＦ上に固定設置されたロアレール４Ａと、ロアレール４Ａに対して前後スライド可能な状態に組み付けられたアッパレール４Ｂと、を有し、各アッパレール４Ｂとロアレール４Ａとの間にはこれらのスライド動作をロック可能な図示しないスライドロック装置が設けられた構成となっている。なお、上述した各スライドレール４の構成については、特開２０１０−２２１９３５号公報等の文献に開示された公知のものと同じ構成となっているため、具体的な説明を省略することとする。また、図３〜図７に示す各図では、スライドレール４の構成が省略された図となっている。
【００２０】
図２〜図３に示すように、上述した前部ブラケット２０Ａ，２０Ｂは、それぞれ、シートクッション３の前部の左右２箇所を下方側から支持し、後部ブラケット３０Ａ，３０Ｂは、それぞれ、シートクッション３の後部の左右２箇所を側方側から支持する構成となっている。このような構成とされていることにより、シートクッション３は、その前部の左右２箇所が、上記前部ブラケット２０Ａ，２０Ｂによって下方側から高い支持強度で支えられる構成とされている。また、シートクッション３は、その後部の左右２箇所が、後述するようにシートバック２を支える支持ブラケットとして構成された後部ブラケット３０Ａ，３０Ｂに対して具合良く取り付けられて支えられる構成とされている。
【００２１】
以下、上述したシートクッション３の支持構造について、更に具体的に詳しく説明していく。シートクッション３は、図２〜図３に示すように、その骨格となるクッションフレーム１０が、平面視Ｕ字状に曲げられて形成された円鋼管製のパイプ材１１と、上述した左右一対の後部ブラケット３０Ａ，３０Ｂ間に一体的に架橋された円鋼管製の補強パイプ１２と、これらパイプ材１１の前枠部（フロントフレーム１１Ａ）と補強パイプ１２との間に架橋された支持ワイヤ１３と、によって構成されている。ここで、補強パイプ１２が本発明の「補強用のフレーム」に相当し、支持ワイヤ１３が本発明の「支持部材」に相当する。
【００２２】
上述したパイプ材１１は、上記のように平面視Ｕ字状に曲げられることで、シートクッション３の左右両側部と前側部とに沿った骨格を成す形に形成されている。上記パイプ材１１は、そのシートクッション３の左右両側部に沿った骨格を成す左右両側のサイドフレーム１１Ｂ，１１Ｃの前部が、それぞれ、上述した前部ブラケット２０Ａ，２０Ｂによって下方側から一体的に支持された状態とされている。また、パイプ材１１は、その後端となる左右両側のサイドフレーム１１Ｂ，１１Ｃの後部が、それぞれ、上述した後部ブラケット３０Ａ，３０Ｂによってシート外側からあてがえられて一体的に支持された状態とされている。
【００２３】
補強パイプ１２は、ストレートな円鋼管材により形成されており、上述した各側の後部ブラケット３０Ａ，３０Ｂにそれぞれシート幅方向に貫通して挿通された状態として、各側の後部ブラケット３０Ａ，３０Ｂに一体的に溶着されて結合された状態とされている。支持ワイヤ１３は、左右一対の前後方向に延びる鋼線ワイヤの間に、シート幅方向に延びる２本の鋼線ワイヤが架橋された梯子状に組まれた構成とされている。
【００２４】
上記支持ワイヤ１３は、その前後方向に延びる左右の鋼線ワイヤが、それぞれ、上述したパイプ材１１のシートクッション３の前側部に沿った骨格を成すフロントフレーム１１Ａと補強パイプ１２との間に前後に架橋されて、これらに一体的に溶着されて結合された状態とされている。これにより、支持ワイヤ１３は、上述したＵ字状のパイプ材１１と補強パイプ１２とによって四角枠状に組まれたクッションフレーム１０の前後の枠部間に架橋された状態として、その梯子状に組まれた広い支持形状により、乗員の着座荷重をその直下で広く支えることができる状態に設けられた状態とされている。
【００２５】
図２〜図４に示すように、前部ブラケット２０Ａ，２０Ｂは、それぞれ、一枚の鋼板材をＵ字状の形にプレス加工して形成したものである。具体的には、前部ブラケット２０Ａ，２０Ｂは、シート高さ方向に面を向ける底面部２１Ａ，２１Ｂと、底面部２１Ａ，２１Ｂの前後側の各縁部から起立する形に折り曲げられて前後方向に向かい合うように面を向ける立面部２２Ａ，２２Ｂと、を有する側面視Ｕ字状の形に曲げられて形成されている。上述した前部ブラケット２０Ａ，２０Ｂは、図２に示すように、それらの底面部２１Ａ，２１Ｂが、上述した各スライドレール４のアッパレール４Ｂの上面部にあてがわれて、ボルト締結により強固に一体的に結合された状態とされている。
【００２６】
また、上述した前部ブラケット２０Ａ，２０Ｂの前後の折り曲げられた立面部２２Ａ，２２Ｂには、図４に示すように、それらの上述したパイプ材１１のサイドフレーム１１Ｂ，１１Ｃがあてがわれる上縁部に、サイドフレーム１１Ｂ，１１Ｃの湾曲した下面形状に沿って凹んだ湾曲形状の凹部２３Ａ，２３Ｂが形成されている。前部ブラケット２０Ａ，２０Ｂは、それらの凹部２３Ａ，２３Ｂ内にサイドフレーム１１Ｂ，１１Ｃの下面部が嵌め合わされた状態にセットされて、これら嵌合部同士が溶接されることにより、サイドフレーム１１Ｂ，１１Ｃに対して強固に一体的に結合された状態とされている。
【００２７】
図２〜図３、図５〜図７に示すように、後部ブラケット３０Ａ，３０Ｂは、それぞれ、一枚の鋼板材をＬ字状の形にプレス加工して形成したものである。具体的には、後部ブラケット３０Ａ，３０Ｂは、シート高さ方向に面を向ける底面部３１Ａ，３１Ｂと、底面部３１Ａ，３１Ｂのシート外側の縁部から起立する形に折り曲げられてシート幅方向に面を向ける立面部３２Ａ，３２Ｂと、を有する正面視Ｌ字状の形に曲げられて形成されている。上述した後部ブラケット３０Ａ，３０Ｂは、図２に示すように、それらの底面部３１Ａ，３１Ｂの前後２箇所が、それぞれ、上述したスライドレール４のアッパレール４Ｂの上面部にあてがわれて、ボルト締結により強固に一体的に結合された状態とされている。
【００２８】
また、上述した後部ブラケット３０Ａ，３０Ｂの立面部３２Ａ，３２Ｂには、それらの上述したパイプ材１１のサイドフレーム１１Ｂ，１１Ｃの後端部があてがわれる高さ方向の中間部に、サイドフレーム１１Ｂ，１１Ｃの湾曲した側面形状に沿って半円筒型に凹んだ湾曲形状の凹部３３Ａ，３３Ｂが形成されている。後部ブラケット３０Ａ，３０Ｂは、図２、図５〜図７に示すように、それらの立面部３２Ａ，３２Ｂの高さ方向の中間部に形成された凹部３３Ａ，３３Ｂ内にサイドフレーム１１Ｂ，１１Ｃの側面部が嵌め合わされた状態にセットされて、これらの嵌合部同士が溶接されることにより、サイドフレーム１１Ｂ，１１Ｃに対して強固に一体的に結合された状態とされている。
【００２９】
ここで、図５〜図７に示すように、上述した後部ブラケット３０Ａ，３０Ｂの凹部３３Ａ，３３Ｂの形成領域には、サイドフレーム１１Ｂ，１１Ｃが嵌合される高さ方向の中央領域に、サイドフレーム１１Ｂ，１１Ｃの長さ方向（前後方向）に沿って延びる長孔状のスリット３４Ａ，３４Ｂが形成されている。そして、上述した後部ブラケット３０Ａ，３０Ｂとサイドフレーム１１Ｂ，１１Ｃとの溶接は、上述したスリット３４Ａ，３４Ｂ内から外部に露出する両者の当接部位間にアーク溶接のトーチが当てられて行われている。詳しくは、上記の溶接は、図７に示すように、スリット３４Ａ，３４Ｂ内に上方側を向いて露呈するサイドフレーム１１Ｂ，１１Ｃとスリット３４Ａ，３４Ｂの下面との当接部位間にアーク溶接のトーチが当てられて行われている。
【００３０】
このような部位を溶接対象とすることにより、作業者が上記の溶接箇所を斜め上方側からの視界によって容易に認識することができ、また、アーク溶接のトーチを斜め上方側から簡単に当てることができるため、溶接作業を簡便に行うことができる。また、上記の溶接箇所が、後部ブラケット３０Ａ，３０Ｂの凹部３３Ａ，３３Ｂ内の下方向きでない面部（横向き、或いは上方向きの面部）箇所に設定されることとなるため、サイドフレーム１１Ｂ，１１Ｃに入力される荷重が各溶接箇所に圧縮力として作用するようになる。したがって、溶接が剥がれ落ちにくく、両者を強固に結合した状態に保持することができる。
【００３１】
上述した後部ブラケット３０Ａ，３０Ｂは、それぞれ、それらの立面部３２Ａ，３２Ｂが、上述した各スライドレール４のアッパレール４Ｂとの結合箇所から後ろ上方側に三角形状に面を延ばす形に形成されている。そして、後部ブラケット３０Ａ，３０Ｂは、それらの立面部３２Ａ，３２Ｂの後ろ上方側に延び出した先の端部に、シートバック２を支えるための部品（延長ブラケット４０、ヒンジピン６）が取り付けられて、シートバック２をそれぞれ下方側から支える構成となっている。
【００３２】
具体的には、車両外側の後部ブラケット３０Ａの立面部３２Ａには、予め、シートバック２の骨格を成すバックフレーム２Ｆの車両外側の下端側側部（の外側部）にリクライナ５を介して取り付けられた厚鋼板製の延長ブラケット４０が、ボルト締結により一体的に結合された状態に取り付けられている。詳しくは、上記延長ブラケット４０は、後部ブラケット３０Ａの立面部３２Ａの外側面にあてがわれて取り付けられている。また、車両内側の後部ブラケット３０Ｂは、その立面部３２Ｂの上端部に、上述したシートバック２の骨格を成すバックフレーム２Ｆの車両内側の下端側側部（の外側部）がヒンジピン６を介して回転可能に枢着された状態に取り付けられている。上記バックフレーム２Ｆの車両内側の下端側側部は、後部ブラケット３０Ｂの立面部３２Ｂの内側面にあてがわれて取り付けられている。上記構成により、シートバック２が、後部ブラケット３０Ａ，３０Ｂによって下方側から支持された状態とされている。
【００３３】
このように、本実施例のシート１は、シートクッション３の前部骨格（サイドフレーム１１Ｂ，１１Ｃの前部）を支える前部ブラケット２０Ａ，２０Ｂと、前部骨格（サイドフレーム１１Ｂ，１１Ｃの前部）と一体で構成されたシートクッション３の後部骨格（サイドフレーム１１Ｂ，１１Ｃの後端部）を支える後部ブラケット３０Ａ，３０Ｂと、を有する。前部ブラケット２０Ａ，２０Ｂは、シートクッション３の前部骨格（サイドフレーム１１Ｂ，１１Ｃの前部）に下方側からあてがえられて同前部骨格を下方側から支持する構成となっている。また、後部ブラケット３０Ａ，３０Ｂは、シートクッション３の後部骨格（サイドフレーム１１Ｂ，１１Ｃの後端部）に側方側からあてがえられて同後部骨格を側方側から支持する構成となっている。
【００３４】
このような構成となっていることにより、シートクッション３の前部骨格（サイドフレーム１１Ｂ，１１Ｃの前部）は、前部ブラケット２０Ａ，２０Ｂによって下方側から支えられることで、高い支持強度で支えられる構成とされる。また、上記前部骨格と一体で構成されたシートクッション３の後部骨格（サイドフレーム１１Ｂ，１１Ｃの後端部）は、後部ブラケット３０Ａ，３０Ｂの側面にあてがわれて結合される構成とされることで、シートバック２を支えるために高さ方向に延出して設けられる後部ブラケット３０Ａ，３０Ｂに対して具合良く取り付けることが可能となる。このように、シートクッション３の骨格を支える支持構造を簡素かつ構造強度の高い構成とすることができる。
【００３５】
また、シートクッション３の前部骨格（サイドフレーム１１Ｂ，１１Ｃの前部）と後部骨格（サイドフレーム１１Ｂ，１１Ｃの後端部）とがそれぞれ１本のパイプ材１１を曲げ加工することによって形成されている。そして、前部ブラケット２０Ａ，２０Ｂと後部ブラケット３０Ａ，３０Ｂとのパイプ材１１があてがえられる各面部に、パイプ材１１を受け入れて嵌合させることのできる形状の凹部２３Ａ，２３Ｂ，３３Ａ，３３Ｂが形成されている。このように、前部ブラケット２０Ａ，２０Ｂと後部ブラケット３０Ａ，３０Ｂとにそれぞれ凹部２３Ａ，２３Ｂ，３３Ａ，３３Ｂを形成する簡単な構成により、これらブラケット２０Ａ，２０Ｂ，３０Ａ，３０Ｂによるシートクッション３の前部骨格（サイドフレーム１１Ｂ，１１Ｃの前部）と後部骨格（サイドフレーム１１Ｂ，１１Ｃの後端部）の各支持を強くすることができる。また、サイドフレーム１１Ｂ，１１Ｃの後部に側方から当てられる各後部ブラケット３０Ａ，３０Ｂに凹部３３Ａ，３３Ｂを形成することにより、円管パイプ形状の各サイドフレーム１１Ｂ，１１Ｃを平らに押し潰すことなくこれらを後部ブラケット３０Ａ，３０Ｂの立面部３２Ａ，３２Ｂに面当接させた状態にあてがえることができるため、各サイドフレーム１１Ｂ，１１Ｃを各後部ブラケット３０Ａ，３０Ｂに簡便かつ強固に一体的に結合することができる。
【００３６】
また、後部ブラケット３０Ａ，３０Ｂが、シートクッション３の後部骨格（サイドフレーム１１Ｂ，１１Ｃの後端部）をシート外側から支持する構成となっている。このような構成となっていることにより、後部ブラケット３０Ａ，３０Ｂによってシートクッション３の後部骨格（サイドフレーム１１Ｂ，１１Ｃの後端部）の外側への開きを適切に抑えることができ、後部骨格（サイドフレーム１１Ｂ，１１Ｃの後端部）の支持強度を更に高めることができる。
【００３７】
また、シートクッション３の骨格が、シートクッション３の左右両側部と前側部とに沿った骨格を成す平面視Ｕ字状に曲げられたパイプ材１１によって形成されている。後部ブラケット３０Ａ，３０Ｂは、上記Ｕ字状に曲げられたパイプ材１１の両端となる左右両側の後端をそれぞれ支える一対の構成とされている。一対の後部ブラケット３０Ａ，３０Ｂ間に補強パイプ１２（補強用のフレーム）が一体的に架橋されている。補強パイプ１２とパイプ材１１のシートクッション３の前側部に沿った骨格を成すフロントフレーム１１Ａとの間に、乗員の着座荷重をその直下で支える支持ワイヤ１３が架橋された構成となっている。このような構成となっていることにより、乗員の着座荷重を支持強度の高い前後のフレーム間（フロントフレーム１１Ａと補強パイプ１２との間）で支えられる構成となるため、シートクッション３の骨格を支える支持構造を、簡素かつ構造強度の高い構成として具現化することができる。
【００３８】
具体的には、シートクッション３の左右両側部の骨格を成すパイプ材１１の各サイドフレーム１１Ｂ，１１Ｃの前部が、それぞれ、前部ブラケット２０Ａ，２０Ｂによって下方側から強く支持されていることにより、シートクッション３に着座した乗員が、その車両外側の乗降ドアを開けて降車する際に、身体の向きを車両外側に向けることでシートクッション３の車両外側の前部領域に強い着座圧をかけても、この負荷を同部の直下位置に設けられた前部ブラケット２０Ａによって強く支えることができる。このような降車時にかけられる荷重は、トラックやＲＶ車などの車高の高い自動車においては、特に顕著にかけられやすくなるが、上記のようにシートクッション３の車両外側の側部に同側のサイドフレーム１１Ｂの前部を下方側から支える前部ブラケット２０Ａが設定されていることにより、上記の荷重を適切に強く支えることができる。
【００３９】
以上、本発明の実施形態を１つの実施例を用いて説明したが、本発明は上記実施例のほか各種の形態で実施することができるものである。例えば、本発明の乗物用シートは、自動車の運転席以外のシートにも適用することができる他、鉄道等の自動車以外の車両や、航空機、船舶等の他の乗物用に供されるシートにも広く適用することができるものである。
【００４０】
また、本発明の前部ブラケットや後部ブラケットは、鋼板材をＬ字状やＵ字状に曲げて形成したものに限らず、種々の金属加工材を適用することができるものである。また、各ブラケットは、乗物のフロアに直接結合されて設けられるものであってもよく、上記実施例で示したスライドレールなどの装備品に結合されて設けられるものであってもよい。また、各ブラケットの結合は、かしめや螺合、接着、圧入等のボルト締結以外の方法によるものであってもよい。
【００４１】
また、後部ブラケットは、シートバックを支えるブラケットとしての機能を兼ね備えたもの以外にも、シートベルトバックルなどの他の装備品が取り付けられるようになっているものであってもよく、何らかの目的で高さ方向に延出して設けられるものとなっていればよい。また、後部ブラケットは、そのシートクッションの後部骨格が取り付けられる部位が、高さ方向に斜めに立ち上がるように形成されたものであってもよい。
【００４２】
また、シートクッションの前部ブラケットによって支えられる前部骨格や、後部ブラケットによって支えられる後部骨格は、角管や板材等の円管以外から成るものであってもよい。また、シートクッションの骨格（クッションフレーム）は、上記実施例で示したような一本のパイプ材を曲げ成形して形成したもの以外にも、複数のフレーム材を一体的に組み合わせることで形成したものであってもよい。また、上記実施例では、シートクッションの骨格が、後部ブラケットを介して全体がループ状に繋がるように形成されたものを示したが、シートクッションの骨格は、１本のパイプ材をループ状に曲げて繋ぎ合わせたり複数本のフレーム材をループ状に繋ぎ合わせるなどして、それ自体がループ状に形成されたものであってもよい。
【００４３】
また、上記シートクッションの前部骨格や後部骨格を支える前部ブラケットや後部ブラケットに、これら前部骨格や後部骨格を受け入れて嵌合させる凹部が形成されておらず、これらブラケットに単純にあてがえられて結合されるだけのものであってもよい。また、上記前部ブラケットや後部ブラケットに凹部を形成する場合において、凹部は、前部骨格や後部骨格の外周面形状に沿った形に形成されていなくてもよく、これらを受け入れて嵌合させられる形となっているものであればよい。具体的には、円管状の前部骨格や後部骨格を、矩形状に凹んだ凹部に受け入れて嵌合させるものや、その逆の関係の嵌合形状となっているものであってもよい。
【００４４】
また、後部ブラケットは、シートクッションの後部骨格をシート内側から支持する構成となっているものであってもよい。また、前部ブラケットは、シートクッションの左右両側部に沿った骨格を成すサイドフレームの前部ではなく、シートクッションの前側部に沿った骨格を成すフロントフレームを下方側から支えるように設けられるものであってもよい。また、後部ブラケットは、シートクッションのサイドフレームの後端を支持するものに限らず、後ろ寄りの中間部を支持する構成となっていてもよい。
【００４５】
また、補強用のフレームは、上記実施例で示したような丸パイプ材から成るものでなくてもよく、各パイプ材や板材から成るものであってもよい。また、支持部材も、上記実施例で示したようなワイヤ材から成るものでなくてもよく、乗員の着座荷重を面で支える板材（いわゆるクッションパン）や、着座荷重を弾性支持するＳバネ等のバネ材から成るものであってもよい。また、支持部材の設定される本数は特に限定されず、１本であっても複数本であってもよい。
【符号の説明】
【００４６】
１      シート（乗物用シート）
２      シートバック
２Ｆ    バックフレーム
３      シートクッション
４      スライドレール
４Ａ    ロアレール
４Ｂ    アッパレール
５      リクライナ
６      ヒンジピン
１０    クッションフレーム
１１    パイプ材
１１Ａ  フロントフレーム
１１Ｂ  サイドフレーム
１１Ｃ  サイドフレーム
１２    補強パイプ（補強用のフレーム）
１３    支持ワイヤ（支持部材）
２０Ａ，２０Ｂ  前部ブラケット
２１Ａ，２１Ｂ  底面部
２２Ａ，２２Ｂ  立面部
２３Ａ，２３Ｂ  凹部
３０Ａ，３０Ｂ  後部ブラケット
３１Ａ，３１Ｂ  底面部
３２Ａ，３２Ｂ  立面部
３３Ａ，３３Ｂ  凹部
３４Ａ，３４Ｂ  スリット
４０    延長ブラケット
Ｆ    フロア
【図１】
2014189220.tif 000003
【図２】
2014189220.tif 000004
【図３】
2014189220.tif 000005
【図４】
2014189220.tif 000006
【図５】
2014189220.tif 000007
【図６】
2014189220.tif 000008
【図７】
2014189220.tif 000009